(57)【要約】  本開示は、チャネル設定方法及び端末、記憶媒体、電子機器を提供し、該方法は、複数の物理チャネルが時間領域でオーバーラップすることを決定することと、指定チャネルを選択し、前記複数の物理チャネル中の情報又はデータを搬送させることと、を含む。【選択図】図３
2021524215.tif 000002
【特許請求の範囲】
【請求項１】
複数の物理チャネルが時間領域でオーバーラップすることを決定することと、
指定チャネルを選択し、前記複数の物理チャネル中の情報又はデータを搬送させることと、を含む、チャネル設定方法。
【請求項２】
前記指定チャネルの第１番目の直交周波数分割多重ＯＦＤＭシンボルは、前記複数の物理チャネルの各物理チャネルに対応する伝送対象のデータの準備に必要な準備時間長のうちのいずれの前でもなく、前記準備時間長は、前記複数の物理チャネルの各物理チャネルに対応するチャネル又は信号の最後のシンボルからそれぞれ計られる、請求項１に記載の方法。
【請求項３】
時間領域でオーバーラップする複数の物理チャネルは、ＵＥが１指定ｓｌｏｔで複数のオーバーラップする物理アップリンク制御チャネルＰＵＣＣＨを伝送する場合、前記ＵＥが異なるＵＣＩのタイプを１つのＰＵＣＣＨに多重するように構成され、前記ＵＥが全ての対応するＵＣＩのタイプを１つのＰＵＣＣＨに多重して、時間領域でオーバーラップする複数の物理チャネルを取得することを含む、請求項１に記載の方法。
【請求項４】
前記指定チャネルは、指定ＰＵＣＣＨであり、
前記ＵＣＩのタイプにＨＡＲＱ−ＡＣＫが含まれる場合、前記１指定ｓｌｏｔにおいて、前記指定ＰＵＣＣＨの最初のシンボルは、第１の番号がＮ１＋Ｘであるシンボルの前ではないとともに、第２の番号がＮ２＋Ｙであるシンボルの前ではなく、前記第１の番号は、前記第１の番号に対応するＰＤＳＣＨシンボル又は半永続スケジューリングＳＰＳ  ＰＤＳＣＨリリースのうちの最後のシンボルから後へＮ１＋Ｘ個のシンボルをカウントした番号であり、前記第２の番号は、前記第２の番号に対応するＰＤＣＣＨシンボルの最後のシンボルから後へＮ２＋Ｙ個のシンボルをカウントした番号であり、Ｎ１は、シンボル数であり、ＵＥのＰＤＳＣＨ処理時間長に対応し、Ｎ２は、シンボル数であり、ＵＥのＰＵＳＣＨ準備時間長に対応し、Ｎ１、Ｎ２、Ｘ、ＹはいずれもＯＦＤＭシンボル数を示す、請求項３に記載の方法。
【請求項５】
前記指定チャネルは、指定ＰＵＣＣＨ又は指定ＰＵＳＣＨであり、
前記ＵＥが１つ以上のオーバーラップするＰＵＣＣＨとＰＵＳＣＨとを１スロットで伝送しようとし、前記ＵＥが全ての対応するＵＣＩのタイプを１つのＰＵＳＣＨに多重する場合、スロットにおけるオーバーラップするＰＵＣＣＨ及びＰＵＳＣＨにおいて、前記指定ＰＵＣＣＨ又は前記指定ＰＵＳＣＨの最初のシンボルは、第３の番号がＮ１＋Ｘであるシンボルの前ではないとともに、第４の番号がＮ２＋Ｙであるシンボルの前ではなく、前記第３の番号は、前記第３の番号に対応するＰＤＳＣＨシンボル又はＳＰＳ  ＰＤＳＣＨリリースのうちの最後のシンボルから後へＮ１＋Ｘ個のシンボルをカウントした番号であり、前記第４の番号は、前記第４の番号に対応するＰＤＣＣＨシンボルの最後のシンボルから後へＮ２＋Ｙ個のシンボルをカウントした番号であり、Ｎ１、Ｎ２、Ｘ及びＹは、いずれもＯＦＤＭシンボル数を示す、請求項３に記載の方法。
【請求項６】
前記複数の物理チャネルのそれぞれに対応する伝送対象のデータの準備に必要な準備時間長のタイムライン終了時間のうち最も遅い時点を、前記指定チャネルの最も早い開始時間として決定することをさらに含む、請求項１に記載の方法。
【請求項７】
前記指定チャネルを選択することは、
端末ＵＥの物理チャネルセット又はＵＥの物理チャネルリソースから前記指定チャネルを選択することを含む、請求項１に記載の方法。
【請求項８】
前記指定チャネルを選択することは、
時間領域でオーバーラップする前記複数の物理チャネルから１つを前記指定チャネルとして選択すること、及び、
時間領域でオーバーラップする前記複数の物理チャネル以外の他の物理チャネルから１つを前記指定チャネルとして選択することのうちの１つを含む、請求項１に記載の方法。
【請求項９】
複数の物理チャネルが時間領域でオーバーラップすることを決定することと、
伝送データを送信するための指定チャネルを選択することと、を含む、チャネル設定方法。
【請求項１０】
複数の物理チャネルが時間領域でオーバーラップすることを決定することは、
１つの物理チャネルと複数の時分割多重された物理チャネルとが時間領域でオーバーラップすることを決定することを含む、請求項９に記載の方法。
【請求項１１】
伝送データを送信するための指定チャネルを選択することは、
複数の時分割多重された物理チャネルから１つを前記指定チャネルとして選択することを含む、請求項９に記載の方法。
【請求項１２】
複数の時分割多重された物理チャネルから１つを前記指定チャネルとして選択することは、
前記複数の時分割多重された物理チャネルから、シンボル数が最も多い１つ以上の物理チャネルを前記指定チャネルとして選択すること、
前記複数の時分割多重された物理チャネルから、シンボル数が最も少ない１つ以上の物理チャネルを前記指定チャネルとして選択すること、
基地局の指示情報に基づいて、前記複数の時分割多重された物理チャネルから、１つ以上の物理チャネルを前記指定チャネルとして選択すること、
前記複数の時分割物理チャネルから、開始位置が最も遅い１つ以上の物理チャネルを前記指定チャネルとして選択すること、及び、
ＵＥと基地局との約束ポリシーに基づいて、前記複数の時分割物理チャネルから１つ以上の物理チャネルを前記指定チャネルとして選択すること、のうちの１つを含む、請求項１１に記載の方法。
【請求項１３】
複数の物理チャネルが時間領域でオーバーラップすることを決定した後、
前記複数の物理チャネルのうち、開始位置が最も前の２つの物理チャネルを優先的に処理して、中間物理チャネルを得て、前記中間物理チャネルと次の物理チャネルとを時間領域でオーバーラップする２つの物理チャネルとして処理すること、
前記複数の物理チャネルが時分割多重された物理チャネルを含む場合、前記時分割多重された物理チャネルを処理し、前記時分割多重された物理チャネル以外の他の物理チャネルを廃棄すること、及び、
前記複数の物理チャネルのうち、時間領域でオーバーラップする複数の物理チャネルのうちの時間が最も早い第１番目の物理チャネルと第２番目の物理チャネルとを優先的に処理して１つの物理チャネルを得て、得られた物理チャネルと時間領域でオーバーラップする残りの物理チャネルのうちの時間が最も早い物理チャネルとを順次処理すること、のうちの１つをさらに含み、チャネルの開始位置が整列している場合、開始の周波数領域インデックスが最小の物理チャネル、開始の周波数領域インデックスが最大の物理チャネル、シンボル数が最も多い物理チャネル、及びシンボル数が最も少ない物理チャネルのうちの１つが優先的に選択される、請求項９に記載の方法。
【請求項１４】
複数の物理チャネルが時間領域でオーバーラップすることを決定するように構成されている第１の決定モジュールと、
指定チャネルを選択し、前記複数の物理チャネル中の情報又はデータを搬送させるように構成されている設定モジュールと、を含む、チャネル設定端末。
【請求項１５】
前記複数の物理チャネルのそれぞれに対応する伝送対象のデータの準備時間のタイムライン終了時間のうち最も遅い時点を、前記指定チャネルの最も早い開始時間として決定するように構成されている第２の決定モジュールをさらに含む、請求項１４に記載の端末。
【請求項１６】
複数の物理チャネルが時間領域でオーバーラップすることを決定するように構成されている決定モジュールと、
伝送データを送信するための指定チャネルを選択するように構成されている選択モジュールと、を含む、チャネル設定端末。
【請求項１７】
前記決定モジュールは、
１つの物理チャネルと複数の時分割多重された物理チャネルとが時間領域でオーバーラップすることを決定するように構成されている決定ユニットを含む、請求項１６に記載の端末。
【請求項１８】
実行されると、請求項１〜１３のいずれか１項に記載の方法を実行させるように構成されているコンピュータプログラムが記憶されている記憶媒体。
【請求項１９】
コンピュータプログラムが記憶されているメモリと、前記コンピュータプログラムを実行することにより、請求項１〜１３のいずれか１項に記載の方法を実行するように構成されているプロセッサと、を含む電子機器。
【発明の詳細な説明】
【技術分野】
【０００１】
本願は、２０１８年５月１８日に提出された中国特許出願第２０１８１０４８２６５０．２号の優先権を主張するものであり、該出願の全ての内容は参照により本願に組み込まれるものとする。
【０００２】
本開示は、通信の分野に関し、具体的には、チャネル設定方法及び端末、記憶媒体、電子機器に関する。
【背景技術】
【０００３】
従来技術において、１つのユーザ装置（Ｕｓｅｒ  Ｅｑｕｉｐｍｅｎｔ、ＵＥ）の複数の物理チャネル（例えば、１つ以上の物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨと略称）及び／又は１つ以上の物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨと略称）から組み合わせられる）については、時間領域において、それぞれ１つ以上の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルで構成され、前記複数の物理チャネルは、スロット（ｓｌｏｔ）において時間領域でのオーバーラップ（例えば、全部又は一部のＯＦＤＭシンボルのオーバーラップ）が生じる可能性がある。特に、前記複数の物理チャネルがアップリンク物理チャネルである場合、一般的には、複数の物理チャネルが同時に伝送されることなく、物理チャネル１つずつ伝送するしかできないように要求され、前記最終的に伝送される物理チャネルは、時間領域でのオーバーラップが生じる複数の物理チャネルのうちの１つになる可能性がある。
【０００４】
複数のチャネルの時間領域でのオーバーラップについて、図１は、本開示の従来技術における２つのチャネルの時間領域でオーバーラップしている可能な状況を示し、図１が１つの概略図であるが、図１に示したものに限定されない。例えば、１つのＵＥの１つのＰＵＣＣＨチャネルと１つのＰＵＳＣＨとは、スロットにおいてシンボルがオーバーラップし、図１は、２つのチャネルのいくつかの可能な時間領域でのオーバーラップを示す（複数のチャネル同士間にオーバーラップが存在すれば、時間領域でのオーバーラップとなる）。
【０００５】
なお、図１において、１つのＰＵＣＣＨと１つのＰＵＳＣＨチャネルを例（２つの同じチャネルであってもよい）とするが、２つよりも多いチャネルの時間領域でのオーバーラップであってもよい。図１におけるＰＵＣＣＨ１、ＰＵＣＣＨ２は２つの異なる物理チャネルを区別するためのものに過ぎない。従来技術で、ＰＵＣＣＨは、５種のフォーマットが定義されるとともに、搬送されるアップリンク制御情報（Ｕｐｌｉｎｋ  Ｃｏｎｔｒｏｌ  Ｉｎｆｏｒｍａｔｉｏｎ、ＵＣＩ）のタイプが多い（ハイブリッド自動再送要求確認（Ｈｙｂｒｉｄ  Ａｕｔｏｍａｔｉｃ  Ｒｅｐｅａｔ  Ｒｅｑｕｅｓｔ、ＨＡＲＱ−ＡＣＫ）、スケジューリング要求（Ｓｃｈｅｄｕｌｉｎｇ  Ｒｅｑｕｅｓｔ、ＳＲ）、チャネル状態情報（Ｃｈａｎｎｅｌ  Ｓｔａｔｅ  Ｉｎｆｏｒｍａｔｉｏｎ、ＣＳＩ）（チャネル状態情報がＣＳＩ−１とＣＳＩ−２とに区分される）ため、異なるフォーマット及び異なるＵＣＩのタイプのものを組み合わせると、状況が非常に多様であり、ここでは、問題を説明するために例示したものに過ぎない。
【０００６】
従来技術では、時間領域でオーバーラップする複数の物理チャネルについて、これらの物理チャネルが同じ開始位置を有する場合を対象として、３ＧＰＰ  ＴＳ３８．２１３において規格化されたいくつかの解決手段を提供している。これらの物理チャネルの開始シンボルの位置が整列していない場合については、どのように処理するかはまだ検討されている。ただ、上記複数の物理チャネル同士が一定のタイムライン関係を満たす場合には、従来技術における解決手段で解決できれば、従来技術における解決手段で解決し、従来技術における解決手段で解決できなければ、さらに解決方法を提供する必要があると提案されている。
【０００７】
図２には、１つのタイムラインの概略図が示されており、図２は、本開示の従来技術におけるタイムライン終了時間の概略図であり、現在のタイムラインの定義は、例えば、タイムライン終了時間の定義について、どの物理チャネルにより定義すべきか、まだ十分に詳細ではない。例えば、図１のｃに示すように、タイムライン終了時間は、現在の図１に示す２つの物理チャネルのうちの時間が早い方の物理チャネルの開始位置として定義され、例えば、図１のｃにおけるＰＵＣＣＨの開始位置は、タイムライン終了時間として定義される。図２は、新無線（Ｎｅｗ  Ｒａｄｉｏ、ＮＲ）で提供された動作仮説に基づいて行われたタイムライン終了時間の定義である（３ＧＰＰ  Ｒａｎ１  ９２ｂｉｓ会議における動作仮説に由来する）。
【０００８】
従来技術における動作仮説によれば、タイムライン終了時間の定義の一例の図を得て（他の場合は、タイムライン終了時間の定義が同じである）、図２では、ＰＵＳＣＨとＰＵＣＣＨチャネルは、時間領域でオーバーラップし、かつ、ＰＵＳＣＨチャネルがＰＵＣＣＨチャネルより早いため、タイムライン終了時間は、ＰＵＳＣＨチャネルの開始位置として定義される（図２における破線を参照）。
【０００９】
従来技術における上記問題に対して、現在、効果的な解決手段はまだない。
【発明の概要】
【発明が解決しようとする課題】
【００１０】
本開示の実施例は、チャネル設定方法及び端末、記憶媒体、電子機器を提供する。
【課題を解決するための手段】
【００１１】
本開示の一実施例に係るチャネル設定方法は、複数の物理チャネルが時間領域でオーバーラップすることを決定することと、指定チャネルを選択し、前記複数の物理チャネル中の情報又はデータを搬送させることとを含む。
【００１２】
本開示の一実施例に係るチャネル設定方法は、複数の物理チャネルが時間領域でオーバーラップすることを決定することと、伝送データを送信するための指定チャネルを選択することとを含む。
【００１３】
本開示の別の実施例に係るチャネル設定端末は、複数の物理チャネルが時間領域でオーバーラップすることを決定する決定モジュールと、指定チャネルを選択し、前記複数の物理チャネル中の情報又はデータを搬送させる設定モジュールとを含む。
【００１４】
本開示の別の実施例に係るチャネル設定端末は、複数の物理チャネルが時間領域でオーバーラップすることを決定する決定モジュールと、伝送データを送信するための指定チャネルを選択する選択モジュールとを含む。
【００１５】
本開示のさらなる実施例に係る記憶媒体は、実行されると、上記いずれかの方法の実施例におけるステップを実行するように構成されるコンピュータプログラムが記憶されている。
【００１６】
本開示のさらなる実施例に係る電子機器は、コンピュータプログラムが記憶されているメモリと、前記コンピュータプログラムを実行することにより、上記いずれかの方法の実施例におけるステップを実行するように構成されるプロセッサと、を含む。
【発明の効果】
【００１７】
本開示によれば、物理チャネルが時間領域でオーバーラップする場合、使用しようと決定した指定チャネルの開始位置をタイムライン終了時間として設定し、データ伝送の予定であるチャネルのタイムライン終了時間（ｔｉｍｅｌｉｎｅ  ｅｎｄｉｎｇ  ｔｉｍｅ）を定義することにより、従来技術における時間領域でオーバーラップするときのチャネルのタイムライン終了時間の定義が正確でないという技術問題を解決し、製品の実現におけるタイムラインアレンジメントに役立って、タイムラインをよりコンパクトかつ効率的にする。
【図面の簡単な説明】
【００１８】
ここで説明された図面は、本開示のさらなる理解を提供するために用いられ、本願の一部を構成し、本開示の例示的な実施例及びその説明は本開示を説明するために用いられるが、本開示を不当に限定するものではない。
【図１】本開示の従来技術における２つのチャネルが時間領域でオーバーラップしている可能な状況の概略図である。
【図２】本開示の従来技術におけるタイムライン終了時間の概略図である。
【図３】本開示の実施例に係るチャネル設定方法のフローチャートである。
【図４】本開示の実施例に係る別のチャネル設定方法のフローチャートである。
【図５】本開示の実施例に係るチャネル設定端末の構成ブロック図である。
【図６】本開示の実施例に係る別のチャネル設定端末の構成ブロック図である。
【図７】本開示の実施例に係る２つのＰＵＣＣＨが時間領域でオーバーラップする一例を示す図である。
【図８】本開示の実施例に係るタイムライン終了時間を決定する概略図である。
【図９】本実施例の、１つのＰＵＣＣＨと２つの時分割ＰＵＣＣＨとが時間領域でオーバーラップするいくつかの可能な場合の概略図である。
【図１０】本開示の実施例のメカニズム３におけるアップリンク物理チャネルの時間領域でのオーバーラップの概略図である。
【発明を実施するための形態】
【００１９】
以下、図面を参照して、実施例を挙げながら本開示を詳細に説明する。なお、本願の実施例及び実施例の特徴は、矛盾しない限り、互いに組み合わせることができる。
【００２０】
なお、本開示の明細書、特許請求の範囲及び上記図面における「第１」、「第２」などの用語は、類似する対象を区別するためのものであり、特定の順又は前後順を限定するものではない。
【００２１】
（実施例１）
本実施例は、チャネル設定方法を提供し、図３は、本開示の実施例に係るチャネル設定方法のフローチャートであり、図３に示すように、該フローは、
複数の物理チャネルが時間領域でオーバーラップすることを決定するステップＳ３０２と、
指定チャネルを選択し、上記複数の物理チャネル中の情報又はデータを搬送させるステップＳ３０４と、を含む。
【００２２】
本実施例の技術手段は、複数の物理チャネルに対応する伝送対象（即ち、伝送待ち）のデータの準備時間のタイムライン終了時間のうち最も遅い時点を、指定チャネルの最も早い開始時間として決定することをさらに含む。
【００２３】
上記ステップにより、物理チャネルが時間領域でオーバーラップする場合、使用しようと決定した指定チャネルの開始位置をタイムライン終了時間として設定し、データ伝送の予定であるチャネルのタイムライン終了時間を定義することにより、従来技術における時間領域でオーバーラップするときのチャネルのタイムライン終了時間の定義が正確でないという技術問題を解決し、製品の実現におけるタイムラインアレンジメントに役立って、タイムラインをよりコンパクトかつ効率的にする。
【００２４】
任意選択で、上記ステップの実行主体は、端末、例えば携帯電話などであってよいが、これに限定されない。
【００２５】
任意選択で、指定チャネルの第１番目の直交周波数分割多重ＯＦＤＭシンボルは、複数の物理チャネルの各物理チャネルに対応する伝送対象のデータの準備に必要な準備時間長のうちのいずれの前でもなく（複数の物理チャネルの各物理チャネルに対応する伝送対象のデータの準備に必要な準備時間長のうちのいずれの前でもないことは、複数の物理チャネルの各物理チャネルに対応する伝送対象のデータの準備に必要な準備時間長のうちのいずれにもあること、複数の物理チャネルの各物理チャネルに対応する伝送対象のデータの準備に必要な準備時間長のうちのいずれよりも後であることを含む。以下、他の類似の表現は同様である）、ここで、準備時間長は、複数の物理チャネルの各物理チャネルに対応するチャネル又は信号の最後のシンボルからそれぞれ計られる。
【００２６】
任意選択で、時間領域でオーバーラップする複数の物理チャネルは、ＵＥが１指定ｓｌｏｔで複数のオーバーラップする物理アップリンク制御チャネルＰＵＣＣＨを伝送する場合、ＵＥが異なるＵＣＩ（アップリンク制御情報）のタイプを１つのＰＵＣＣＨに多重するように構成され、ＵＥがオーバーラップする物理アップリンク共有チャネルＰＵＳＣＨを指定ｓｌｏｔ（スロット）において伝送せず、ＵＥが全ての対応するＵＣＩのタイプを１つのＰＵＣＣＨに多重して、時間領域でオーバーラップする複数の物理チャネルを取得することを含む。
【００２７】
任意選択で、指定チャネルは、指定ＰＵＣＣＨであり、ＵＣＩのタイプにはＨＡＲＱ−ＡＣＫが含まれる場合、指定ｓｌｏｔにおいて指定ＰＵＣＣＨの最初のシンボルは、第１の番号がＮ１＋Ｘであるシンボルの前ではないとともに、第２の番号がＮ２＋Ｙであるシンボルの前ではなく、ここで、第１の番号は、対応するＰＤＳＣＨシンボル又は半永続スケジューリングＳＰＳ  ＰＤＳＣＨリリースのうちの最後のシンボルから開始するものであり、第２の番号は、対応するＰＤＣＣＨシンボルの最後のシンボルから開始するものであり、Ｎ１は、シンボル数であり、ＰＤＳＣＨ受信時間に対応し、ＰＤＳＣＨ処理能力を表し、Ｎ２は、シンボル数であり、ＰＵＳＣＨ準備時間に対応し、ＰＵＳＣＨ処理能力を表し、Ｎ１、Ｎ２、Ｘ、ＹはいずれもＯＦＤＭシンボル数を示す。
【００２８】
任意選択で、指定チャネルは、指定ＰＵＣＣＨ又は指定ＰＵＳＣＨであり、ＵＥが１つ以上のオーバーラップするＰＵＣＣＨ及びＰＵＳＣＨを１スロットで伝送しようとし、ＵＥが全ての対応するＵＣＩのタイプを１つのＰＵＳＣＨに多重する場合、スロットにおけるオーバーラップするＰＵＣＣＨ及びＰＵＳＣＨにおいて、指定ＰＵＣＣＨ又は指定ＰＵＳＣＨの最初のシンボルは、第３の番号がＮ１＋Ｘであるシンボルの前ではないとともに、第４の番号がＮ２＋Ｙであるシンボルの前ではなく、ここで、第３の番号は、対応するＰＤＳＣＨシンボル又はＳＰＳ（半永続スケジューリング、Ｓｅｍｉ  Ｐｅｒｓｉｓｔｅｎｔ  Ｓｃｈｅｄｕｌｉｎｇ）ＰＤＳＣＨリリースのうちの最後のシンボルから開始するものであり、第４の番号は、対応するＰＤＣＣＨシンボルの最後のシンボルから開始するものであり、Ｎ１、Ｎ２、Ｘ及びＹは、いずれもＯＦＤＭシンボル数を示す。
【００２９】
任意選択で、指定チャネルを選択することは、端末ＵＥの物理チャネルセット又はＵＥの物理チャネルリソースから指定チャネルを選択することを含む。
【００３０】
任意選択で、指定チャネルを選択することは、時間領域でオーバーラップする複数の物理チャネルから１つを指定チャネルとして選択すること、及び、時間領域でオーバーラップする複数の物理チャネル以外の他の物理チャネルから１つを指定チャネルとして選択すること、のうちの１つを含む。
【００３１】
本実施例は、上記移動端末上で実行される別のチャネル設定方法を提供し、図４は、本開示の実施例に係る別のチャネル設定方法のフローチャートであり、図４に示すように、該フローは、
複数の物理チャネルが時間領域でオーバーラップすることを決定するステップＳ４０２と、
伝送データを送信するための指定チャネルを選択するステップＳ４０４と、を含む。
【００３２】
任意選択で、複数の物理チャネルが時間領域でオーバーラップすることを決定することは、１つの物理チャネルと複数の時分割物理チャネルとが時間領域でオーバーラップすることを決定することを含む。
【００３３】
任意選択で、伝送データを送信するための指定チャネルを選択することは、複数の時分割物理チャネルから１つを指定チャネルとして選択することを含む。
【００３４】
任意選択で、複数の時分割物理チャネルから１つを指定チャネルとして選択することは、
複数の時分割物理チャネルから、選択シンボル数が最も多い１つ以上の物理チャネルを指定チャネルとして選択すること、
複数の時分割物理チャネルから、選択シンボル数が最も少ない１つ以上の物理チャネルを指定チャネルとして選択すること、
基地局の指示情報に基づいて、複数の時分割物理チャネルから、１つ以上の物理チャネルを指定チャネルとして選択すること、
複数の時分割物理チャネルから、開始位置が最も遅い１つ以上の物理チャネルを指定チャネルとして選択すること、及び、
ＵＥと基地局との約束ポリシーに基づいて、複数の時分割物理チャネルから１つ以上の物理チャネルを指定チャネルとして選択すること、のうちの１つを含む。
【００３５】
任意選択で、複数の物理チャネルが時間領域でオーバーラップすることを決定した後、方法は、複数の物理チャネルのうち、開始位置が最も前の２つの物理チャネルを優先的に処理して、中間物理チャネルを得て、中間物理チャネルと次の物理チャネルとを時間領域でオーバーラップする２つの物理チャネルとして処理すること、複数の物理チャネルが時分割物理チャネルを含む場合、時分割物理チャネルを処理し、時分割物理チャネル以外の物理チャネルを廃棄すること、及び、複数の物理チャネルのうち、時間領域でオーバーラップする複数の物理チャネルのうちの時間が最も早い第１と第２番目の物理チャネルを優先的に処理して１つの物理チャネルを得て、得られた物理チャネルと時間領域でオーバーラップする残りの物理チャネルのうちの時間が最も早い物理チャネルとを順次処理すること、のうちの１つをさらに含み、ここで、チャネルの開始位置が整列している場合、開始の周波数領域インデックスが最小の物理チャネル、開始の周波数領域インデックスが最大の物理チャネル、シンボル数が最も多い物理チャネル、及びシンボル数が最も少ない物理チャネルのうちの１つが優先的に選択される。
【００３６】
以上の実施形態の説明によって、当業者は、上記実施例に係る方法を、ソフトウェアに必要な汎用のハードウェアプラットフォームを結合した方式で実現できる一方、ハードウェアによって実現できることを理解することができるが、多数の場合に前者の方がより好適な実施形態である。このような理解に基づいて、本開示の技術手段の実質的な又は従来技術に貢献する部分は、ソフトウェア製品の形態で実現することができ、該コンピュータソフトウェア製品は記憶媒体（例えば、ＲＯＭ／ＲＡＭ、磁気ディスク、ＣＤ）に記憶され、端末装置（携帯電話、コンピュータ、サーバ又はネットワーク装置などであってよい）に本開示の各実施例で説明した方法を実行させるいくつかの命令を含む。
【００３７】
（実施例２）
本実施例は、上記実施例及び実施形態を実現するためのチャネル設定端末をさらに提供し、既に説明した要素の説明を省略する。以下に用いられた「モジュール」という用語は、所定の機能のソフトウェア及び／又はハードウェアの組み合わせを実現できる。以下の実施例で説明される装置は、ソフトウェアで実現されてよいが、ハードウェア、又はソフトウェアとハードウェアとの組み合わせで実現することも考えられる。
【００３８】
図５は、本開示の実施例に係るチャネル設定端末の構成ブロック図であり、図５に示すように、該装置は、
複数の物理チャネルが時間領域でオーバーラップすることを決定する決定モジュール５０と、
指定チャネルを選択し、上記複数の物理チャネル中の情報又はデータを搬送させる設定モジュール５２と、を含む。
【００３９】
任意選択で、端末は、複数の物理チャネルに対応する伝送対象のデータの準備時間のタイムライン終了時間のうち最も遅い時点を、指定チャネルの最も早い開始時間として決定する決定モジュールをさらに含む。
【００４０】
図６は、本開示の実施例に係る別のチャネル設定端末の構成ブロック図であり、図６に示すように、該装置は、
複数の物理チャネルが時間領域でオーバーラップすることを決定する決定モジュール６０と、
伝送データを送信するための指定チャネルを選択する選択モジュール６２と、を含む。
【００４１】
任意選択で、決定モジュールは、１つの物理チャネルと複数の時分割物理チャネルとが時間領域でオーバーラップすることを決定する決定ユニットを含む。
【００４２】
なお、上記各モジュールは、ソフトウェア又はハードウェアにより実現することができ、後者の場合、上記モジュールがいずれも同じプロセッサに位置する形態、或いは、上記各モジュールが任意組み合わせる形でそれぞれ異なるプロセッサに位置する形態で実現することができるが、これらに限定されない。
【００４３】
（実施例３）
本実施例は、複数の物理チャネルが時間領域でオーバーラップする場合に、チャネルのデータ送信の問題を効率的に解決するために、時間領域でのオーバーラップにおけるタイムライン終了時間の定義方法を提供する。
【００４４】
１つのＵＥの複数の物理チャネルは、時間領域においてそれぞれ１つ以上のＯＦＤＭシンボルで構成され、上記複数の物理チャネルがスロットｓｌｏｔにおいて時間領域でのオーバーラップが生じる可能性がある。時間領域でオーバーラップしている場合には、最終的に伝送される物理チャネルが他の物理チャネルである可能性もあり、ここでは、上記他の物理チャネルは、本来、データの伝送がアレンジされていない（本来、データの伝送がアレンジされていれば、この他の物理チャネルは、上記複数の物理チャネルに含まれている可能性があり、時間領域でオーバーラップする物理チャネルになる。この他の物理チャネルは、本来、データの伝送がアレンジされたが、上記複数の物理チャネルのうちの１つ以上とは時間領域でオーバーラップしていない可能性もある）が、この他の物理チャネルの時間領域位置は、実際には、上記複数の物理チャネルのうちの１つ以上とは時間領域でオーバーラップする可能性があり、この他の物理チャネルが上記複数の物理チャネルのうちのいずれとも時間領域でオーバーラップしない可能性もある。
【００４５】
以下、一例を挙げて従来技術に存在可能な問題を説明するが、他の異なる物理チャネルが時間領域でオーバーラップする場合にも同様の問題があり、ただ、物理チャネルが異なる可能性がある。
【００４６】
図７は、本開示の実施例に係る２つのＰＵＣＣＨが時間領域でオーバーラップする一例を示す図であり、例えば、図７における２つのＰＵＣＣＨチャネルが時間領域でオーバーラップしている場合、ＰＵＣＣＨ１は、周期的なＣＳＩ（ＣＳＩ情報はＣＳＩ  ｐａｒｔ１及び／又はＣＳＩ  ｐａｔｒ２（それぞれＣＳ１−１、ＣＳＩ−２である）を含む）を搬送し、ＰＵＣＣＨ２は、ＡＮ（ＨＡＲＱ−ＡＣＫを示す）を搬送し、この２つのチャネルがタイムライン関係の要件を満たせば（即ち、タイムライン終了時間の前に、全ての伝送対象のデータをいずれも準備しておくべきであり、そうでなければ、すぐに伝送対象のデータを送信することができない）、伝送時には、ＰＵＣＣＨ２におけるＡＮビット情報とＰＵＣＣＨ１におけるＣＳＩビット情報とを連結（ここでは、一応ＡＮとＣＳＩとの連結順序を問わない）してから搬送する。
【００４７】
しかし、上記ＡＮとＣＳＩとを連結した後の総ビット数がＰＵＣＣＨ１の搬送範囲を超えていれば、他の物理チャネルを選択する必要がある（選択するルールが従来技術にあり、ＴＳ３８．２１３を参照）。１つの伝送用のＰＵＣＣＨリソース（ＰＵＣＣＨ３と記す）を新たに選択したとすれば、ＰＵＣＣＨ３の開始シンボルとＰＵＣＣＨ１の開始シンボルは、必ずしも整列していない。ＰＵＣＣＨ３もＵＥのために設定されたあるＰＵＣＣＨリソース又はあるＰＵＣＣＨセット中のあるＰＵＣＣＨリソースである。
【００４８】
本実施例の従来技術では、ＵＥには、１つ以上のＰＵＣＣＨセットが設定されてもよく、１つ以上のＰＵＣＣＨリソースが直接設定されてもよい。ＵＥには、１つ以上のＰＵＣＣＨセットが設定されていれば、各ＰＵＣＣＨセットに１つ以上のＰＵＣＣＨリソースが含まれ、１つのＰＵＣＣＨセット中の各ＰＵＣＣＨリソースの開始位置が同じである可能性があり異なる可能性もある。異なるＰＵＣＣＨセット中の各ＰＵＣＣＨリソースの開始位置は、同じである可能性があり異なる可能性もあり、１つのＰＵＣＣＨセットの異なるＰＵＣＣＨリソースに搬送される総ビット数の範囲は同じであり、異なるＰＵＣＣＨセットのＰＵＣＣＨリソースに搬送される総ビット数の範囲は異なる。
【００４９】
ＰＵＵＣＨ３がＰＵＣＣＨ１と同じ開始シンボルを有する場合には、上記時間領域でのオーバーラップは、ＰＵＣＣＨ３を使用して、問題が発生することなく伝送する。
【００５０】
ＰＵＣＣＨ３の開始位置がＰＵＣＣＨ１の開始位置より早ければ、タイムラインが乱れる可能性があり、即ち、本来のタイムラインによれば、本来、ＰＵＣＣＨ１の開始位置でこそ伝送対象のデータを準備できるが、現在、ＰＵＣＣＨ３がＰＵＣＣＨ１より早いため、伝送対象のデータはＰＵＣＣＨ３の開始前に準備されていない。これは、タイムライン終了時間が、従来技術により時間領域でオーバーラップしているより早いＰＵＣＣＨ１に従って定義されているからであり、現在、このような定義では、このような時間領域でのオーバーラップが結局正常に処理できず、エラーの発生を引き起こす。本願でも、従来技術において現在時間領域でオーバーラップする２つの物理チャネル（ＰＵＣＣＨ１及びＰＵＣＣＨ２）のうちの早い物理チャネルの開始位置をタイムライン終了時点とするだけを考慮することが適切ではない、と考えている。
【００５１】
ＰＵＣＣＨ３の開始位置がＰＵＣＣＨ１の開始位置より遅ければ、伝送対象のデータが予め準備され（ＰＵＣＣＨ３の開始位置より前である）、このようにすれば、動作できないことはないが、明らかに、最適な開始点は、ＰＵＣＣＨ３の開始位置であるべきであり、伝送対象のデータは、ＰＵＣＣＨ３の開始点の前に準備できればよく、予め準備すれば、タイムラインは、最も効率高く利用されていないことになる。
【００５２】
上記課題を対象として、以下の例を含む課題を解決するための手段を以下で提供する。
【００５３】
例１
タイムライン終了時点は、最終的に伝送される物理チャネルの開始位置として定義される。
【００５４】
複数の物理チャネルの時間領域でのオーバーラップについて、ここで、各種の時間領域でのオーバーラップの場合に対して、対応する伝送対象のデータの伝送ルールを与え、ルールに従って、最終的にどの物理チャネルを使用するかを決定し、オーバーラップする各チャネル中のデータの処理を決定する。例えば、図１中のａ、ｂ、ｇ及びｈにおいて、最終的にＰＵＳＣＨチャネルを使用して伝送し、ＰＵＣＣＨチャネル中の情報をＰＵＳＣＨにおいて伝送し、具体的な伝送ルールは、従来技術における手段を参照することができる。図１におけるｌ（Ｌの小文字）とｍの場合も類似の処理があり、一般的には、そのうちの１つの物理チャネルを選択するか、又は他の物理チャネルを新たに選択して伝送する（具体的な選択ルールがあり、ＴＳ  ３８．２１３プロトコルを参照することができる）。
【００５５】
また、例えば、図１における時間領域でオーバーラップする２つの物理チャネルの開始位置が異なる場合に対しては、２つのオーバーラップした物理チャネルが一定のタイムライン関係を満たす場合に、関連技術による方式で処理するか、又は将来、新たな手段を設計することが検討されている。
【００５６】
即ち、時間領域でオーバーラップする複数の物理チャネルに対して、基地局及びＵＥは、常に具体的なオーバーラップした物理チャネルの状況に応じて、最終的に伝送に用いられる物理チャネルを決定することができる。
【００５７】
タイムラインの利用効率を最も高くし、時間領域でオーバーラップするより多く状況で効率的に処理するために、即ち、タイムライン終了時間の不合理な設定により時間領域でオーバーラップする一部の状況下で処理できないことを回避するために、本実施例は、１つのＵＥについて、複数の物理チャネルが時間領域でオーバーラップしていれば、タイムライン終了時間を、最終的に使用される物理チャネルの開始位置として定義することを提案する。最終的に使用される物理チャネルは、現在、時間領域でオーバーラップする複数の物理チャネルのうちのいずれかであってもよく（これは既存のルールに基づいて確定できる）、上記時間領域でオーバーラップする複数の物理チャネル以外の物理チャネルからのものであってもよい（これも最終的に確定できる）。
【００５８】
図８は、本開示の実施例に係るタイムライン終了時間を決定する概略図であり、図８はいくつかの例を示す。図８のａでは、最終的に使用されるものが現在のＰＵＳＣＨチャネルであるため、タイムライン終了時間は、現在のＰＵＳＣＨの開始位置として定義される（最終的な結果は、従来技術のタイムライン終了位置と同じである）。図８のｂでは、最終的に使用されるものが現在のＰＵＳＣＨチャネルであるため、タイムライン終了時間は、現在のＰＵＳＣＨの開始位置として定義される（最終的な結果は、従来技術のタイムライン終了位置と異なる）。
【００５９】
図８のｃでは、最終的に使用されるものが他の物理チャネル、即ちＰＵＣＣＨ３であるため、タイムライン終了時間は、ＰＵＣＣＨ３の開始位置として定義される（最終的な結果は、従来技術のタイムライン終了位置と異なる）。図８のｄでは、最終的に使用されるものが他の物理チャネル、即ちＰＵＣＣＨ３であるため、タイムライン終了時間は、ＰＵＣＣＨ３の開始位置として定義される（最終的な結果は、従来技術のタイムライン終了位置と異なる）。図８では、Ｎ１＋ＸとＮ２＋Ｙと、が同じ終了点を有する場合を示しているが、実際には異なる終了点を有してよい。異なる終了点を有すれば、本方法に対応するタイムライン終了時間は、上記Ｎ１＋ＸとＮ２＋Ｙの終了点のうち遅い方の終了点に対応し、つまり、本方法に対応するタイムライン終了時間は、上記Ｎ１＋ＸとＮ２＋Ｙの終了点の両方の前ではない。
【００６０】
例えば、１、図１のｃでは、ルールに従って、最終的に使用されるものがＰＵＳＣＨチャネルであれば、タイムライン終了時間は、関連技術によるＰＵＣＣＨの開始位置ではなく、ＰＵＳＣＨの開始位置として定義される。最終的に伝送される物理チャネルの開始位置がタイムライン終了時間として用いられ、タイムライン終了時間が遅くなったため、より多くの、時間領域でのオーバーラップを解決することができ、タイムラインの処理のためのタイムアレンジメントの負担を軽減することができる。
【００６１】
例えば、２、図１のｑでは、ルールに従って、最終的に使用されるものがＰＵＣＣＨ１チャネルであれば、タイムライン終了時間は、関連技術によるＰＵＣＣＨ２の開始位置ではなく、ＰＵＣＣＨ１の開始位置として定義される。最終的に伝送される物理チャネルの開始位置がタイムライン終了時間として用いられ、タイムライン終了時間が遅くなったため、より多くの、時間領域でのオーバーラップを解決することができ、タイムラインの処理のためのタイムアレンジメントの負担を軽減することができる。
【００６２】
明らかに、本実施例に係る方法で決定されたタイムライン終了時間の定義は、従来技術に比べて、より正確であり、製品の実現におけるタイムラインアレンジメントに役立って、タイムラインをよりコンパクトかつ効率的にする。
【００６３】
以下に一例を提供する。
１つのＵＥについて、１スロットにおいて、いずれもＰＵＣＣＨ又はＰＵＳＣＨであってもよいし、ＰＵＣＣＨとＰＵＳＣＨとの混合であってもよい複数の物理チャネルがオーバーラップしている（時間領域で完全にオーバーラップしているか、又は部分的にオーバーラップしている）場合、ＵＥは、複数の物理チャネルにおいて伝送対象のデータの処理タイムラインが要件を満たす場合でこそ、上記複数の物理チャネル中の情報を、最終的に決定される（実際に使用される）１つのＰＵＣＣＨ又はＰＵＳＣＨによって伝送する（即ち、処理タイムラインの要件を満たすと、ＵＥは、複数の物理チャネルの時間領域でのオーバーラップを処理する）ことを期待し、そうでなければ、ＵＥは、複数の物理チャネルの時間領域でのオーバーラップを処理せず、誤った設定であると考える。
【００６４】
処理タイムラインが満たす要件は、具体的には以下のとおりである。
【００６５】
ＵＥにとって、上記最終的に決定される１つのＰＵＣＣＨ又はＰＵＳＣＨの最初のシンボルが、上記複数（ｍ個で示す。ｍは１より大きい正の整数である）の物理チャネルの各物理チャネルに対応する伝送対象のデータの準備に必要な準備時間長Ｔ１、Ｔ２、…、Ｔｎ（ここでのＴｎ値は、上記ｍ個の物理チャネルのうちの第ｎ個の物理チャネルに対応し、ｎ＝１、２、…、ｍである。下記のＴｎの意味は、ここでの意味と同じであり、説明は省略する。シンボル数で該Ｔ値を表してもよい）のうちのいずれの前でもないことを期待する。
【００６６】
時間長Ｔ１、Ｔ２、…、Ｔｎは、それぞれ上記複数の物理チャネルの各物理チャネルに対応するチャネル又は信号（例えば、図８のａでは、ＰＵＳＣＨに対応する信号は、図中のＮ２＋Ｙの前のＤＣＩ（ＰＤＣＣＨにおいて搬送される）であり、Ａ/Ｎ  ＰＵＣＣＨに対応するチャネルは、図中のＮ１＋Ｘの前のＰＤＳＣＨであり、すると、ＰＵＳＣＨに対応する準備時間長は、Ｎ２＋Ｙであり、Ａ/Ｎ  ＰＵＣＣＨに対応する準備時間長はＮ１＋Ｘである。
【００６７】
図８のｃでは、ＰＵＣＣＨ１に対応する信号は、図示したＮ２＋Ｙの前のＤＣＩであり、ＰＵＣＣＨ２に対応するチャネルは、図中のＮ１＋ＸのＰＤＳＣＨであり、ＰＵＣＣＨ１に対応する準備時間長は、Ｎ２＋Ｙであり、ＰＵＣＣＨ２に対応する準備時間長は、Ｎ１＋Ｘである。例えば、半静的に（半永続的に）設定される場合など、上記対応するチャネル又は信号が存在しないこともあるが、前に対応するチャネル又は信号が存在すると仮定すればよく、即ち、時間長Ｔ１、Ｔ２、…、Ｔｎの開始点を与えればよい）の最後のシンボルから計られる。
【００６８】
最終的に決定されるＰＵＣＣＨ又はＰＵＳＣＨチャネルは、上記複数の物理チャネルのうちの１つであってもよいし、上記複数の物理チャネル以外の１つの物理チャネルであってもよい。後者であれば、次のオプションとしての要件を参照してもよい（この要件をサポートしなくてもよい）。上記複数の物理チャネルのうちの最も早い物理チャネルの最初のシンボルは、上記複数の物理チャネルの各物理チャネルに対応する伝送対象のデータの準備に必要な準備時間長Ｔ１、Ｔ２、…、Ｔｎのいずれの前でもなく、そして、最終的に決定されるＰＵＣＣＨ又はＰＵＳＣＨチャネルの最初のシンボルは、上記複数の物理チャネルの各物理チャネルに対応する伝送対象のデータの準備に必要な準備時間長Ｔ１、Ｔ２、…、Ｔｎのいずれの前でもなく、時間長Ｔ１、Ｔ２、…、Ｔｎは、それぞれ、上記複数の物理チャネルの各物理チャネルに対応するチャネル又は信号の最後のシンボルから計られる。
【００６９】
上記最終的に決定される１つのＰＵＣＣＨ又はＰＵＳＣＨの最初のシンボルの前に、上記複数の物理チャネルの、データを伝送すべき各物理チャネルは、いずれも、対応する伝送対象のデータを準備することに十分な時間があり、即ち、上記最終的に決定される１つのＰＵＣＣＨ又はＰＵＳＣＨの最初のシンボルの前に、最終的な伝送対象のデータを生成することに十分な準備時間を有するからこそ、時間どおりに送信することができる。最終的な伝送対象のデータは、上記複数の物理チャネル中の情報に由来し、約束の方式に従って決定される最終的な伝送対象のデータであり、ここでの約束の方式は、プロトコルＴＳ  ３８．２１３に規定された方式を参照することができる。明細書におけるタイムライン終了時間は、ここでの最終的に決定される１つのＰＵＣＣＨ又はＰＵＳＣＨの最初のシンボルである。
【００７０】
最終的に決定される１つのＰＵＣＣＨ又はＰＵＳＣＨは、現在オーバーラップしている複数の物理チャネルのうちの１つであってもよいし、他の物理チャネル、例えば、他のＰＵＣＣＨ／ＰＵＳＣＨであってもよい（他の物理チャネルもＵＥに設定されたものであり、ＰＵＣＣＨセット又はＳＲ ＰＵＣＣＨ又はＣＳＩ ＰＵＣＣＨからのものであってもよい）。
【００７１】
以下、さらに別の一例を挙げて説明する。２種の典型的な時間領域でのオーバーラップのうち、第１種では、複数のＰＵＣＣＨチャネルがオーバーラップしており、最終的に１つのＰＵＣＣＨを決定して上記複数のＰＵＣＣＨチャネル中のＵＣＩ情報を搬送させて、残りのＰＵＣＣＨチャネルを廃棄する。第２種では、ＰＵＣＣＨチャネル（１つ以上）とＰＵＳＣＨチャネル（一般的には、１つのＰＵＳＣＨであり、複数のＰＵＳＣＨがあれば、これらの複数のＰＵＳＣＨチャネルの間は、時分割関係にある）とは時間領域でオーバーラップし、この場合、最終的に１つのＰＵＳＣＨチャネルを決定して、オーバーラップするＰＵＣＣＨチャネル中のＵＣＩ情報を搬送させ、ＰＵＳＣＨチャネル中のデータは、依然としてＰＵＳＣＨにおいて送信される。これは、２種の非常に典型的なシナリオである。
【００７２】
第１のシーンでは、前のＰＤＳＣＨチャネルに対応するＨＡＲＱ−ＡＣＫ情報であるＰＵＣＣＨ１と、１つのＣＳＩ情報を搬送するＰＵＣＣＨ２とは、時間領域でオーバーラップすると仮定し、この場合で最終的にＰＵＣＣＨ３を使用することを決定すると、ＵＥは、ＰＵＣＣＨ３の最初のシンボルが、ＰＵＣＣＨ１がＨＡＲＱ−ＡＣＫ情報を準備することに必要な時間Ｔ１（明らかに、ＵＥは、まず対応するＰＤＳＣＨを復号し、次にＨＡＲＱ−ＡＣＫ情報を確認してから、ＨＡＲＱ−ＡＣＫを生成する必要があるため、Ｔ１は、ＰＤＳＣＨを処理する時間長を含む。
【００７３】
場合によっては、ＵＥは、ＨＡＲＱ−ＡＣＫのビット数を知れば、具体的なビット値を知らなくてもよい）の前ではなく（Ｔ１がシンボル数であり、ＰＵＣＣＨ１に対応するＰＤＳＣＨの最後のシンボルから計ることができる）、かつ、ＰＵＣＣＨ２がＣＳＩ情報を準備することに必要な時間Ｔ２の前でもない（ＣＳＩ情報の準備は一定の時間を必要とし、前に対応するチャネルがトリガされる可能性があり、かつＣＳＩとＨＡＲＱ＿ＡＣＫがジョイント符号化を必要とする可能性があり、この場合、ＣＳＩの準備の前にＨＡＲＱ−ＡＣＫのビット情報を必要とし、このようにＣＳＩの準備時間が長くなり、ＨＡＲＱ−ＡＣＫ情報の確認後に開始する必要があるからである）ことを満たすことを期待する。
【００７４】
Ｔ２はシンボル数であり、ＰＵＣＣＨ２がＣＳＩを搬送してトリガされたチャネルの最後のシンボルから計られる（ここでは、ＰＵＣＣＨ２は、動的にトリガされるものであっても半静的に設定されるものであっても、そのチャネルがトリガできる）。
【００７５】
つまり、ＰＵＣＣＨ３の開始シンボルは、Ｔ１及びＴ２より早くならない。明らかに、状況に応じて、Ｔ１とＴ２は異なる時間の長さに対応し、ＰＵＣＣＨ１及びＰＵＣＣＨ２において伝送されるＵＣＩのタイプ、最終的な２つのＰＵＣＣＨチャネルにおけるＵＣＩの伝送方式、及びＵＥの処理能力に関連するが、明らかに、Ｔ１とＴ２は、上記３つの要因に基づいて与えられる。例えば、ＰＵＣＣＨ１とＰＵＣＣＨ２との間のデータは、準備において一定の優先順位が存在する可能性があり、例えば、ジョイント符号化を必要とすれば、一般的に２つのデータが生成できてからこそ、ジョイント符号化が開始でき、こうすれば、かかる時間が長い。パンクチャ伝送であれば、一般的に、パンクチャされるデータを準備するときに、他のデータを同時に生成する必要があり、こうすれば、かかる時間が短い。レートマッチングについては、一般的に、パンクチャされるデータを準備するときに、少なくとも他のデータの伝送ビット数を知る必要があり（ビット値を知らなくてもよい）、こうすれば、かかる時間は中程度である。
【００７６】
以下、具体的な適用例を挙げるが、異なる物理チャネルは、伝送対象のデータのタイプにより、必要な準備時間が異なる。
【００７７】
１つのＵＥが複数のオーバーラップ（時間領域でオーバーラップするか又は周波数領域でオーバーラップする）するＰＵＣＣＨｓ（これらのＰＵＣＣＨｓは非重複である）を１つのｓｌｏｔにおいて伝送すれば、ＴＳ  ３８．２１３の９．２．５．１及び９．２．５．２節に示すように、ＵＥは、異なるＵＣＩのタイプ（例えば、ＨＡＲＱ−ＡＣＫ、及び／又はＳＲ、及び／又は周期的／半永続的なＣＳＩ）を１つのＰＵＣＣＨに多重するように構成され、ＵＥは、該ｓｌｏｔにおいてオーバーラップしたＰＵＳＣＨを伝送せず、全ての対応するＵＣＩのタイプを１つのＰＵＣＣＨに多重する。
【００７８】
ＵＣＩのタイプのうちの１つがＨＡＲＱ−ＡＣＫ情報を含めば、ＵＥは、このｓｌｏｔにおいて最終的に使用しようと決定したＰＵＣＣＨの最初のシンボルが、番号がＮ１＋Ｘであるシンボルの前ではない（当該番号は、対応するＰＤＳＣＨシンボル又はＳＰＳ  ＰＤＳＣＨリリースのうちの最後のシンボルから開始する）とともに、番号がＮ２＋Ｙであるシンボルの前ではない（当該番号は、対応するＰＤＣＣＨシンボルの最後のシンボルから開始する）ことを期待し、ここで、Ｎ１は、シンボル数であり、ＵＥのＰＤＳＣＨ処理時間長に対応し、ＰＤＳＣＨ処理能力１と記され、Ｎ２は、シンボル数であり、ＵＥのＰＵＳＣＨ準備時間長に対応し、ＰＵＳＣＨ処理能力１と記される。ＵＥが１つ以上のオーバーラップしたＰＤＣＣＨ及びＰＵＳＣＨ（これらのチャネルは非重複である）を１スロットで伝送しようとすれば、ＵＥは、全ての対応するＵＣＩのタイプ（ＨＡＲＱ−ＡＣＫ、及び／又はＳＲ、及び／又は周期的／半永続的なＣＳＩ）を１つのＰＵＳＣＨに多重する。
【００７９】
ＵＥは、このスロットにおいて、最終的に使用しようと決定したＰＵＣＣＨ又はＰＵＳＣＨの最初のシンボルが、番号がＮ１＋Ｘであるシンボルの前ではない（当該番号は、対応するＰＤＳＣＨシンボル又はＳＰＳ  ＰＤＳＣＨ解放（ｒｅｌｅａｓｅ）シンボルのうちの最後のシンボルから後へＮ１＋Ｘ個のシンボルをカウントした番号である）とともに、番号がＮ２＋Ｙであるシンボルの前ではない（当該番号は、対応するＰＤＣＣＨシンボルの最後のシンボルから後へＮ２＋Ｙ個のシンボルをカウントした番号である）ことを期待する。Ｎ１、Ｎ２、Ｘ及びＹは、いずれもＯＦＤＭシンボル数を示す。Ｎ１及びＮ２は、ＴＳ  ３８．２１４における値を使用し、Ｘ及びＹの値は、ＵＥ処理能力に応じて与えられる。
【００８０】
ＴＳ  ３８．２１３における９．２．５．１と９．２．５．２節は、以下のように仮定している。
【００８１】
１つのＵＥについて、１スロットにおいてＳＲ伝送とＨＡＲＱ−ＡＣＫ伝送がオーバーラップするか、又はＳＲ伝送と１つの周期的／半永続的なＣＳＩ伝送がオーバーラップする；
単一のＰＵＣＣＨにおいて、対応するＵＣＩのタイプを多重する状況を満たす；
ＵＥは、同じサービングセルのこのスロットにおいて、いかなるオーバーラップするＰＵＳＣＨをも伝送しない。
【００８２】
例２
タイムライン終了時間を定義する場合、より大きな物理チャネルの範囲を含むべきであり、例えば、従来技術は、現在、時間領域でのオーバーラップが発生する物理チャネルから最も早い物理チャネルの開始位置をタイムライン終了時間として選択するだけであり、本実施例は、現在時間領域でオーバーラップする物理チャネル中の情報を伝送するために用いられる可能性がある他の物理チャネルを含めて、最も早い物理チャネルの開始位置をタイムライン終了時間として選択することを提案する。
【００８３】
例えば、図１のｍ、ｎにおいて（他の図面については、原理が同じである）、関連方法のタイムライン終了時点は、現在、時間領域でのオーバーラップが発生する２つの物理チャネルのうちの時間が最も早い方の物理チャネルの開始位置であると考えられる。しかし、現在、時間領域でのオーバーラップが発生する２つの物理チャネルが最終的に使用されず、他の物理チャネルが使用されれば、他の物理チャネルの開始位置が現在最も早い物理チャネルの開始位置と異なるため、いくつかの問題が生じる可能性がある（前の分析を参照）。
【００８４】
したがって、本願は、１つのＵＥについて、複数の物理チャネルが時間領域でオーバーラップする場合、タイムライン終了時間を、ＵＥのＰＵＣＣＨセットｓｅｔ（１つのＵＥには１つ以上のＰＵＣＣＨ  ｓｅｔが設定されることができる）のうち最終的に使用される可能性のある全てのＰＵＣＣＨ、及び／又は、ＵＥの全てのＰＵＣＣＨリソースのうち最終的に使用される可能性のある全てのＰＵＣＣＨリソース（現在時間領域でオーバーラップするＰＵＣＣＨを含む）を含めて、全てのＰＵＣＣＨのうちの最も早いＰＵＣＣＨの開始位置として定義することを提案する。
【００８５】
例えば、１、図１のｍでは、ＰＵＣＣＨ１がフォーマット３で、ＡＮ情報を搬送し（ＵＥの複数の伝送ブロックに対応するＡＮが共に多重されてもよい）、ＰＵＣＣＨ２がフォーマット１で、ＳＲ情報を搬送すれば、ルールに従って、ＰＵＣＣＨ２を廃棄し、ＳＲをＸ個のビット（ＳＲの個数に係る）情報に変換してＰＵＣＣＨ１のＡＮビットと連結し、次にフォーマット３の他のＰＵＣＣＨリソースを使用して伝送する。
【００８６】
具体的には、どのフォーマット３のリソースを使用するかについては、まず、ＸとＡＮの総ビット数に応じてＰＵＣＣＨ  ｓｅｔを決定し（各ＰＵＣＣＨ  ｓｅｔ中のＰＵＣＣＨリソースが伝送する総ビット数が異なり、それぞれ１つのビット数範囲に対応するが、一般的には、依然としてＰＵＣＣＨ  ｓｅｔを変更しない確率が大きい。各ＰＵＣＣＨ  ｓｅｔに搬送される総ビット数の範囲が大きく、新たに増加するビットが少ないため、本来ＰＵＣＣＨ  ｓｅｔに搬送される総ビット範囲を超えない確率が大きい）、次に、対応するＰＵＣＣＨ  ｓｅｔから、基地局によって指示されたＰＵＣＣＨリソースを使用して伝送を行う。
【００８７】
上記タイムライン終了時間の定義を用いると、最終的に全てのＰＵＣＣＨのうちの最も早いＰＵＣＣＨの開始位置をタイムライン終了時間として用いる可能性が考えられるため、タイムライン終了時間は、最終的に伝送されるＰＵＣＣＨリソースの開始位置より遅くならない。
【００８８】
例えば、２、図１のｎでは、ＰＵＣＣＨ１がフォーマット３で、ＣＳＩを搬送し、ＰＵＣＣＨ２がフォーマット２で、ＣＳＩを搬送すれば、ＰＵＣＣＨ１中のＣＳＩとＰＵＣＣＨ２のＣＳＩビットとを連結して、１つのＰＵＣＣＨリソースを使用して伝送する。具体的には、どのフォーマット３のリソースを使用するかについては、ここでは、従来技術のＰＵＣＣＨ選択ルールに従って、割り当てられた複数のＰＵＣＣＨリソースから１つのＰＵＣＣＨを選択して全てのＣＳＩを伝送する。本実施例では、タイムライン終了時間を、全てのＰＵＣＣＨリソースのうちの最も早いＰＵＣＣＨの開始位置として定義するため、タイムライン終了時間は、最終的に伝送するＰＵＣＣＨリソースの開始位置より遅くならない。
【００８９】
例えば、３、図１のｎでは、ＰＵＣＣＨ１がフォーマット３で、ＣＳＩを搬送し、ＰＵＣＣＨ２がフォーマット１で、ＡＮを搬送すれば、ルールに従って、ＰＵＣＣＨ２を廃棄し、ＡＮ情報とＰＵＣＣＨ１のＣＳＩビットとを連結し、次にフォーマット３の１つのＰＵＣＣＨリソースを使用して伝送する。具体的には、どのフォーマット３のリソースを使用するかについては、まず、ＡＮとＣＳＩの総ビット数に応じてＰＵＣＣＨ  ｓｅｔを決定し（各ＰＵＣＣＨ  ｓｅｔ中のＰＵＣＣＨリソースが伝送する総ビット数が異なり、それぞれ１つのビット数範囲に対応するが、一般的には、依然としてＰＵＣＣＨ  ｓｅｔを変更しない確率が大きい。各ＰＵＣＣＨ  ｓｅｔに搬送される総ビット数の範囲が大きく、新たに増加するビットが少ないため、本来ＰＵＣＣＨ  ｓｅｔに搬送される総ビット範囲を超えない確率が大きい）、次に、対応するＰＵＣＣＨ  ｓｅｔから、指示されたＰＵＣＣＨを使用して伝送を行う。
【００９０】
上記タイムライン終了時間の定義を用いると、タイムライン終了時間は、最終的に伝送するＰＵＣＣＨリソースの開始位置より遅くならない。
【００９１】
例３
１つのＰＵＣＣＨチャネルと複数の時分割ＰＵＣＣＨチャネルは、時間領域でオーバーラップする。図９は、いくつかの可能な概略図を示し、図９は、本実施例の、１つのＰＵＣＣＨと２つの時分割ＰＵＣＣＨとが時間領域でオーバーラップするいくつかの可能な場合の概略図であり、本実施例は、図９の概略図に限定されない。
【００９２】
１つのＵＥについて、１つのＰＵＣＣＨチャネルと複数の時分割ＰＵＣＣＨチャネルとが時間領域でオーバーラップすれば、ＵＥは、どのようにアップリンク制御チャネルを送信するか？各アップリンク制御チャネル中のデータをどのように搬送するか？従来技術の手段では、時間領域でオーバーラップする２つの物理チャネルに対していくつかの解決手段があり、ＴＳ  ３８．２１３を参照することができるが、２より多くのチャネルが時間領域でオーバーラップする場合、特に１つの物理チャネルと２つの時分割物理チャネルとが同時に時間領域でオーバーラップする場合に対しては、まだ手段がない。
【００９３】
方法１
１つのＵＥに対して、１つのＰＵＣＣＨ４（後の数字は区別するためのものである）と２つの時分割ＰＵＣＣＨ（例えば、ＰＵＣＣＨ５とＰＵＣＣＨ６）とが１スロットにおいて時間領域でオーバーラップすれば、ＵＥは、常に、上記２つの時分割ＰＵＣＣＨのうちの一方を選択して処理し、他方のＰＵＣＣＨを廃棄する。このように、時間領域でオーバーラップするＰＵＣＣＨが２つ残り、即ち選択したＰＵＣＣＨと別のＰＵＣＣＨ（例えば、ＰＵＣＣＨ４）を、時間領域でオーバーラップする２つの物理チャネルと見なす。上記２つの時分割ＰＵＣＣＨから１つを選択することについて、具体的な方法は以下のとおりである。
【００９４】
第ｎ個を選択する（時間領域方向、ｎは１としてもよい）方法である。
【００９５】
或いは、シンボル数が最も多いＰＵＣＣＨを選択し、シンボル数が同じであれば、シンボル数が最も多いＰＵＣＣＨのうちの第ｎ個を選択する（ｎは１としてもよい）方法である。
【００９６】
或いは、シンボル数が最も少ないＰＵＣＣＨを選択し、シンボル数が同じであれば、シンボル数が最も少ないＰＵＣＣＨのうちの第ｎ個を選択する（ｎは１としてもよい）方法である。
【００９７】
或いは、基地局がシグナリングによって、どのＰＵＣＣＨを選択するかをＵＥに指示し、ダウンリンク制御情報ＤＣＩにより指示してもよく、又はＤＣＩの制御チャネルユニットＣＣＥにより暗黙的に指示してもよい方法である。例えば、ＤＣＩの最初のＣＣＥ又は最後のＣＣＥのインデックスが偶数か又は奇数かにより、対応するＰＵＣＣＨを選択する。例えば、ＣＣＥインデックスが偶数であれば、対応して第１番目のＰＵＣＣＨを選択し、ＣＣＥインデックスが奇数であれば、対応して第２番目のＰＵＣＣＨを選択する。
【００９８】
或いは、処理タイムライン要件を満たすＰＵＣＣＨ（実施例１、２又は従来技術におけるタイムライン終了時間の定義を参照し、即ち、ＰＵＣＣＨの開始位置がタイムライン終了時間より遅いと、処理タイムライン要件を満たすと考えられる）を選択し、複数のＰＵＣＣＨがいずれも処理タイムライン要件を満たしていれば、処理タイムライン要件を満たすもののうちの第ｎ個を選択する（ｎは１としてもよい）方法である。一般的には、ＰＵＣＣＨの時間が早いほど、処理タイムライン要件を満たしにくくなる。基地局は、各ＵＥの処理能力を知っているとともに、ＵＥの上記３つのＰＵＣＣＨの位置及びそこに搬送されている情報を知っているため、処理能力に合わせて、基地局は、ＵＥのタイムライン要件を知っており、タイムライン終了時間の位置も知っている。したがって、そのＰＵＣＣＨが処理タイムライン要件を満たすか否かを知っている。
【００９９】
或いは、基地局とＵＥは、２つの時分割ＰＵＣＣＨを残し、別のＰＵＣＣＨを廃棄する（即ち、ＰＵＣＣＨ５及びＰＵＣＣＨ６を残し、ＰＵＣＣＨ４を廃棄する）ように約束する。ＰＵＣＣＨ４中のアップリンク制御情報ＵＣＩをＰＵＣＣＨ５又はＰＵＣＣＨ６において搬送する。
【０１００】
１つのＰＵＣＣＨと２つの時分割ＰＵＣＣＨとは１つのｓｌｏｔにおいて時間領域でオーバーラップする典型的な場合は、例えば、周期的チャネル状態情報ＣＳＩ又はスケジューリング要求ＳＲを搬送する、周期的又は半静的に設定された１つのＰＵＣＣＨと、例えば、ＡＮ情報又は非周期的ＣＳＩを搬送する、２つの動的な時分割ＰＵＣＣＨとが、時間領域でオーバーラップすることである。
【０１０１】
上記問題に対して、方法１では、以下の処理メカニズムをさらに提供する。
【０１０２】
メカニズム１：
１つのＵＥに対して、１つのＰＵＣＣＨ４（後の数字は区別するためのものである）と２つの時分割ＰＵＣＣＨ（例えば、ＰＵＣＣＨ５とＰＵＣＣＨ６）とが１スロットにおいて時間領域でオーバーラップすれば、基地局とＵＥは、常に開始位置がより前の２つのＰＵＣＣＨ（例えば、図９における３つのＰＵＣＣＨから、常に２つのＰＵＣＣＨの開始位置が別のＰＵＣＣＨより前であるものを見つけることができる）から処理して、使用するＰＵＣＣＨを得て、該使用するＰＵＣＣＨと次のＰＵＣＣＨとを、時間領域でオーバーラップする２つのＰＵＣＣＨとして処理するように約束する。このような処理メカニズムは拡張可能であり、例えば、基地局とＵＥは、常に前にあるｎ個のＰＵＣＣＨを処理して、処理結果を得て、処理結果と第ｎ＋１個のＰＵＣＣＨとを共に処理し、…このように類推して処理するように約束し、より多くのＰＵＣＣＨのオーバーラップを処理することができる。
【０１０３】
メカニズム２：
１つのＵＥに対して、１つのＰＵＣＣＨ４（後の数字は区別するためのものである）と２つの時分割ＰＵＣＣＨ（例えば、ＰＵＣＣＨ５とＰＵＣＣＨ６）が１スロットにおいて時間領域でオーバーラップすれば、ＵＥは、常に２つの時分割ＰＵＣＣＨを使用し、別のＰＵＣＣＨ（即ち、ＰＵＣＣＨ４の位置におけるＰＵＣＣＨ）を廃棄する（上記別のＰＵＣＣＨ中のＵＣＩ情報は、第ｎ個の時分割ＰＵＣＣＨにおいて搬送され、ｎは１としてもよい。或いは、上記別のＰＵＣＣＨ中のＵＣＩ情報も廃棄する）。
【０１０４】
メカニズム３：
メカニズム１は、ＵＥの複数のアップリンク物理チャネルがオーバーラップすることを解決するために拡張されることができ、ここでの複数のアップリンク物理チャネルは、ＰＵＣＣＨ及び／又はＰＵＳＣＨで構成されてよい。メカニズム３は、ＵＥの複数のアップリンク物理チャネルがオーバーラップする場合、基地局とＵＥは、まず、複数のアップリンク物理チャネルのうちの第１番目と第２番目（時間が早い方が第１番目である）のアップリンク物理チャネルの間の時間領域でのオーバーラップを処理して、１つのアップリンク物理チャネルを得て、得られたアップリンク物理チャネルと、上記複数のアップリンク物理チャネルのうちの第３番目のアップリンク物理チャネルとを共に２つのチャネル間の時間領域でのオーバーラップとして処理して（時間領域でオーバーラップしていなければ、今回のメカニズム３を停止し、残りのチャネルからメカニズム３を再度開始する）、新たなアップリンク物理チャネルを得て、そして、第４番目のアップリンク物理チャネルと共に２つのチャネル間の時間領域でのオーバーラップとして処理し、…、このように類推して処理するように約束する。上記複数のアップリンク物理チャネルを処理する。
【０１０５】
処理の過程において、チャネルの開始位置が整列している場合があれば、例えば、処理中、２つ以上のアップリンク物理チャネルの開始シンボルが同じであれば、まず、アップリンク物理チャネルのうち、開始の周波数領域インデックスが小さく、又は開始の周波数領域インデックスが大きく、又はシンボル数が多く、又はシンボル数が少ないものを選択して処理する。
【０１０６】
メカニズム３について、一例を挙げると、例えば、４つのアップリンク物理チャネルが時間領域でオーバーラップしており、図１０は、本開示の実施例のメカニズム３におけるアップリンク物理チャネルの時間領域でのオーバーラップの概略図であり、図１０中のａでは、メカニズム３に従って、ＵＥは、まず、ＰＵＳＣＨ＿ＡとＰＵＣＣＨ＿Ａとを処理し、関連技術による方式で処理してもよく（関連技術における処理方式がまだ検討されている可能性があるが、ＴＳ３８．２１３は最終的には処理メカニズムを与える）、得られた結果は、ＰＵＣＣＨ＿Ａ中のＵＣＩがＰＵＳＣＨ＿Ａにおいて伝送され、ＰＵＣＣＨ＿Ａが廃棄されることである。
【０１０７】
このように、さらにＰＵＳＣＨ＿ＡとＰＵＣＣＨ＿Ｄとを処理して、得られた結果は、ＰＵＣＣＨ＿Ｄ中のＵＣＩもＰＵＳＣＨ＿Ａにおいて伝送され、ＰＵＣＣＨ＿Ｄが廃棄されることである。このように、さらにＰＵＳＣＨ＿ＡとＰＵＣＣＨ＿Ｃとを処理して、得られた結果は、ＰＵＣＣＨ＿Ｃ中のＵＣＩもＰＵＳＣＨ＿Ａにおいて伝送され、ＰＵＣＣＨ＿Ｃが廃棄されることである。このように、さらにＰＵＳＣＨ＿ＡとＰＵＣＣＨ＿Ｂとを処理するが、ＰＵＳＣＨ＿ＡとＰＵＣＣＨ＿Ｂとがオーバーラップしないため、処理は行わない。
【０１０８】
この場合、ＰＵＳＣＨ＿Ａ、ＰＵＣＣＨ＿Ｂ及びＰＵＳＣＨ＿Ｂが残っており、後の２つは、依然として時間領域でオーバーラップしているため、さらに後の２つのチャネルを処理し、この場合、処理結果は、ＰＵＣＣＨ＿Ｂ中のＵＣＩがＰＵＳＣＨ＿Ｂにおいて伝送され、ＰＵＣＣＨ＿Ｂが廃棄されることである。最終的にＰＵＳＣＨ＿Ａ（ＰＵＳＣＨ＿Ａ中のデータの他、ＰＵＣＣＨ＿Ａ、ＰＵＣＣＨ＿Ｄ及びＰＵＣＣＨ＿Ｃ中のＵＣＩをも搬送する）とＰＵＳＣＨ＿Ｂ（ＰＵＳＣＨ＿Ｂ中のデータの他、ＰＵＣＣＨ＿Ｂ中のＵＣＩをも搬送する）とが残っている。図１０中のｂでは、メカニズム３に従って、ＵＥは、まず、ＰＵＣＣＨ＿ＡとＰＵＣＣＨ＿Ｄとを処理し、関連技術による方式で処理してもよく（関連技術における処理方式がまだ検討されている可能性があるが、ＴＳ３８．２１３は最終的には処理メカニズムを与える）、得られた結果は、ＰＵＣＣＨ＿Ａが残され、ＰＵＣＣＨ＿Ｄが廃棄されることであると仮定する。
【０１０９】
このように、さらにＰＵＣＣＨ＿ＡとＰＵＳＣＨ＿Ａを処理して、得られた結果は、ＰＵＣＣＨ＿Ａが廃棄され、ＰＵＳＣＨ＿Ａが残されることである。このように、さらにＰＵＳＣＨ＿ＡとＰＵＣＣＨ＿Ｃとを処理して、得られた結果は、ＰＵＣＣＨ＿Ｃが廃棄され、ＰＵＳＣＨ＿Ａが残されることである。このように、さらにＰＵＳＣＨ＿ＡとＰＵＳＣＨ＿Ｂとを処理するが、ＰＵＳＣＨ＿ＡとＰＵＳＣＨ＿Ｂとがオーバーラップしないため、処理はしない。
【０１１０】
この場合、ＰＵＳＣＨ＿Ａ、ＰＵＣＣＨ＿Ｂ及びＰＵＳＣＨ＿Ｂが残っており、後の２つは、依然として時間領域でオーバーラップしているため、さらに後の２つのチャネルを処理し、この場合、処理結果は、ＰＵＣＣＨ＿Ｂ中のＵＣＩがＰＵＳＣＨ＿Ｂにおいて伝送され、ＰＵＣＣＨ＿Ｂが廃棄されることである。最終的にＰＵＳＣＨ＿Ａ（ＰＵＳＣＨ＿Ａ中のデータの他、ＰＵＣＣＨ＿Ａ、ＰＵＣＣＨ＿Ｄ及びＰＵＣＣＨ＿Ｃ中のＵＣＩをも搬送する）とＰＵＳＣＨ＿Ｂ（ＰＵＳＣＨ＿Ｂ中のデータの他、ＰＵＣＣＨ＿Ｂ中のＵＣＩをも搬送する）とが残る。
【０１１１】
メカニズム３に対する効果的な補足として、主に注意すべきこととして、時間領域でオーバーラップする２つのアップリンク物理チャネルを処理する場合、１つのアップリンク物理チャネルが得られ、この得られたアップリンク物理チャネルは、上記時間領域でオーバーラップする２つのアップリンク物理チャネルからのものである可能性があるが、上記時間領域でオーバーラップする２つのアップリンク物理チャネルからのものではない可能性もあり、例えば、このチャネルは、ＵＥのために設定したＰＵＣＣＨ  ｓｅｔ又はＵＥのために設定したＰＵＣＣＨリソースからのものである。この得られたアップリンク物理チャネルが上記時間領域でオーバーラップする２つのアップリンク物理チャネルからのものではない場合、この得られたアップリンク物理チャネルと、上記複数のアップリンク物理チャネルのうちの処理されていないチャネルとを共に上記メカニズム３を用いて処理する。
【０１１２】
方法１では、時間領域でオーバーラップする２つのチャネルを処理する必要があれば、既存の処理メカニズムを用いることができ、既存の処理メカニズムは、ＰＵＣＣＨチャネルに搬送される情報のタイプに応じて、対応する処理メカニズムがあり、ＴＳ  ３８．２１３を参照する。
【０１１３】
方法２
方法１は、簡易な方法であり、実現しやすい。方法２は、時間領域でオーバーラップするチャネルに搬送されるＵＣＩのタイプに応じて、精細に処理を行うものであり、具体的には、表１〜表４を参照する。
【０１１４】
ここでは、実施例１、２におけるタイムライン終了時間を使用して確認することができ、例えば、図９に例示されたオーバーラップの場合には、常に時間領域でオーバーラップする全てのチャネルは、いずれも上記タイムライン終了時間を満たすと認める。さらに、ＮＲシステムにおいて、現在、５種のＰＵＣＣＨフォーマット（Ｆ０、Ｆ１、Ｆ２、Ｆ３、Ｆ４と記する）があり、各種のＰＵＣＣＨの定義とデータの伝送方式に差異があるとともに、伝送されるＵＣＩのコンテンツも異なる可能性があるため、本願には可能な限り多くの場合での処理手段が記載されている。１つのＡＮ  ＰＵＣＣＨと２つの時分割ＳＲ  ＰＵＣＣＨが時間領域でオーバーラップすることに対する処理は表１に示す。表１は、１つのＡＮ  ＰＵＣＣＨと２つの時分割ＳＲ  ＰＵＣＣＨが時間領域でオーバーラップすることに対する処理である。
【０１１５】
【表１】
2021524215.tif 000003
2021524215.tif 000004
【０１１６】
１つのＳＲ  ＰＵＣＣＨと２つの時分割ＡＮ  ＰＵＣＣＨが時間領域でオーバーラップすることに対する処理を表２に示す。表２は、１つのＳＲ  ＰＵＣＣＨと２つの時分割ＡＮ  ＰＵＣＣＨが時間領域でオーバーラップすることに対する処理である。
【０１１７】
【表２】
2021524215.tif 000005
2021524215.tif 000006
【０１１８】
１つのＡＮ  ＰＵＣＣＨと２つの時分割ＰＵＣＣＨ（１つはＳＲで、１つはＡＮである）が時間領域でオーバーラップすることに対する処理を表３に示す。表３は、１つのＡＮ  ＰＵＣＣＨと２つの時分割ＰＵＣＣＨとが時間領域でオーバーラップすることに対する処理である。
【０１１９】
【表３】
2021524215.tif 000007
【０１２０】
１つのＡＮ  ＰＵＣＣＨと２つの時分割ＰＵＣＣＨ（１つはＳＲで、１つはＡＮである）とが時間領域でオーバーラップすることに対する処理を表４に示し、表４は、１つのＡＮ  ＰＵＣＣＨと２つの時分割ＰＵＣＣＨとが時間領域でオーバーラップすることに対する処理である。
【０１２１】
【表４】
2021524215.tif 000008
【０１２２】
本実施例に係るタイムライン終了時間の定義を用いると、関連技術におけるメカニズムに比べて、より正確であり、製品の実現におけるタイムラインアレンジメントに役立って、タイムラインをよりコンパクトかつ効率的にする。
【０１２３】
（実施例４）
本開示の実施例は、実行されると、上記いずれか１つの方法の実施例におけるステップを実行させるように構成されるコンピュータプログラムが記憶されている記憶媒体をさらに提供する。
任意選択で、本実施例では、上記記憶媒体は、
【０１２４】
第１の物理チャネル及び１つ以上の物理チャネルが時間領域でオーバーラップすることを決定するステップＳ１と、
【０１２５】
使用しようと決定した指定チャネルの開始位置をタイムライン終了時間として設定するステップＳ２とを実行するためのコンピュータプログラムを記憶するように構成される。
【０１２６】
任意選択で、本実施例では、上記記憶媒体は、ＵＳＢフラッシュドライブ、リードオンリーメモリ（Ｒｅａｄ−Ｏｎｌｙ  Ｍｅｍｏｒｙ、ＲＯＭと略称される）、ランダムアクセスメモリ（Ｒａｎｄｏｍ  Ａｃｃｅｓｓ  Ｍｅｍｏｒｙ、ＲＡＭと略称される）、モバイルハードディスク、ディスク又はＣＤなどの、コンピュータプログラムを記憶できる様々な媒体を含むが、これらに限定されない。
【０１２７】
本開示の実施例は、コンピュータプログラムが記憶されているメモリと、コンピュータプログラムを実行することにより、上記いずれか１つの方法の実施例におけるステップを実行するように構成されるプロセッサと、を含む電子機器をさらに提供する。
【０１２８】
任意選択で、上記電子機器は、上記プロセッサに接続される伝送装置と、上記プロセッサに接続される入出力装置とを含んでもよい。
【０１２９】
任意選択で、本実施例では、上記プロセッサは、コンピュータプログラムによって、第１の物理チャネル及び１つ以上の物理チャネルが時間領域でオーバーラップすることを決定するステップＳ１と、使用しようと決定した指定チャネルの開始位置をタイムライン終了時間として設定するステップＳ２とを実行するように構成されてよい。
【０１３０】
任意選択で、本実施例の具体的な例としては、上記実施例及び任意選択可能な実施例において説明した例を参照することができ、本実施例では繰り返して説明しない。
【０１３１】
明らかに、当業者が理解できるように、上記本開示の各モジュール又は各ステップは、汎用のコンピュータ装置で実現することができ、それらは、単一のコンピュータ装置に集積してもよく、複数のコンピュータ装置からなるネットワークに分布してもよく、任意選択で、それらは、コンピュータ装置に実行可能なプログラムコードで実現するため、それらを記憶装置に記憶してコンピュータ装置で実行することができ、いくつかの場合で、ここでの順序と異なる順序で、示されたか又は記載されたステップを実行することも可能であり、或いは、それらをそれぞれ各集積回路モジュールに作製するか、又はそれらのうちの複数のモジュール又はステップを単一の集積回路モジュールに作製して実現することも可能である。このように、本開示は、いかなる特定のハードウェアとソフトウェアとの組み合わせにも限定されない。
【図１】
2021524215.tif 000009
【図２】
2021524215.tif 000010
【図３】
2021524215.tif 000011
【図４】
2021524215.tif 000012
【図５】
2021524215.tif 000013
【図６】
2021524215.tif 000014
【図７】
2021524215.tif 000015
【図８】
2021524215.tif 000016
【図９】
2021524215.tif 000017
【図１０】
2021524215.tif 000018
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
複数の物理チャネルが時間領域でオーバーラップすることを決定することと、
指定チャネルを選択し、前記複数の物理チャネル中の情報又はデータを搬送させることと、を含む、チャネル設定方法。
【請求項２】
前記指定チャネルの第１番目の直交周波数分割多重ＯＦＤＭシンボルは、前記複数の物理チャネルの各物理チャネルに対応する伝送対象のデータの準備に必要な準備時間長のうちのいずれの前でもなく、前記準備時間長は、前記複数の物理チャネルの各物理チャネルに対応するチャネル又は信号の最後のシンボルからそれぞれ計られる、請求項１に記載の方法。
【請求項３】
ＵＥが１指定ｓｌｏｔで複数のオーバーラップする物理アップリンク制御チャネルＰＵＣＣＨを伝送する場合、前記ＵＥが異なるＵＣＩのタイプを１つのＰＵＣＣＨに多重するように構成され、前記ＵＥが全ての対応するＵＣＩのタイプを１つのＰＵＣＣＨに多重して、時間領域でオーバーラップする複数の物理チャネルを解決する、請求項１に記載の方法。
【請求項４】
前記指定チャネルは、指定ＰＵＣＣＨであり、
前記ＵＣＩのタイプにＨＡＲＱ−ＡＣＫが含まれる場合、前記１指定ｓｌｏｔにおいて、前記指定ＰＵＣＣＨの最初のシンボルは、第１の番号がＮ１＋Ｘであるシンボルの前ではないとともに、第２の番号がＮ２＋Ｙであるシンボルの前ではなく、前記第１の番号は、前記第１の番号に対応するＰＤＳＣＨシンボル又は半永続スケジューリングＳＰＳ  ＰＤＳＣＨリリースのうちの最後のシンボルから後へＮ１＋Ｘ個のシンボルをカウントした番号であり、前記第２の番号は、前記第２の番号に対応するＰＤＣＣＨシンボルの最後のシンボルから後へＮ２＋Ｙ個のシンボルをカウントした番号であり、Ｎ１は、シンボル数であり、ＵＥのＰＤＳＣＨ処理時間長に対応し、Ｎ２は、シンボル数であり、ＵＥのＰＵＳＣＨ準備時間長に対応し、Ｎ１、Ｎ２、Ｘ、ＹはいずれもＯＦＤＭシンボル数を示す、請求項３に記載の方法。
【請求項５】
前記指定チャネルは、指定ＰＵＣＣＨ又は指定ＰＵＳＣＨであり、
前記ＵＥが１つ以上のオーバーラップするＰＵＣＣＨとＰＵＳＣＨとを１スロットで伝送しようとし、前記ＵＥが全ての対応するＵＣＩのタイプを１つのＰＵＳＣＨに多重する場合、スロットにおけるオーバーラップするＰＵＣＣＨ及びＰＵＳＣＨにおいて、前記指定ＰＵＣＣＨ又は前記指定ＰＵＳＣＨの最初のシンボルは、第３の番号がＮ１＋Ｘであるシンボルの前ではないとともに、第４の番号がＮ２＋Ｙであるシンボルの前ではなく、前記第３の番号は、前記第３の番号に対応するＰＤＳＣＨシンボル又はＳＰＳ  ＰＤＳＣＨリリースのうちの最後のシンボルから後へＮ１＋Ｘ個のシンボルをカウントした番号であり、前記第４の番号は、前記第４の番号に対応するＰＤＣＣＨシンボルの最後のシンボルから後へＮ２＋Ｙ個のシンボルをカウントした番号であり、Ｎ１、Ｎ２、Ｘ及びＹは、いずれもＯＦＤＭシンボル数を示す、請求項３に記載の方法。
【請求項６】
前記複数の物理チャネルのそれぞれに対応する伝送対象のデータの準備に必要な準備時間長のタイムライン終了時間のうち最も遅い時点を、前記指定チャネルの最も早い開始時間として決定することをさらに含む、請求項１に記載の方法。
【請求項７】
前記指定チャネルを選択することは、
端末ＵＥの物理チャネルセット又はＵＥの物理チャネルリソースから前記指定チャネルを選択することを含む、請求項１に記載の方法。
【請求項８】
前記指定チャネルを選択することは、
時間領域でオーバーラップする前記複数の物理チャネルから１つを前記指定チャネルとして選択すること、及び、
時間領域でオーバーラップする前記複数の物理チャネル以外の他の物理チャネルから１つを前記指定チャネルとして選択することのうちの１つを含む、請求項１に記載の方法。
【請求項９】
複数の物理チャネルが時間領域でオーバーラップすることを決定することと、
伝送データを送信するための指定チャネルを選択することと、を含む、チャネル設定方法。
【請求項１０】
複数の物理チャネルが時間領域でオーバーラップすることを決定することは、
１つの物理チャネルと複数の時分割多重された物理チャネルとが時間領域でオーバーラップすることを決定することを含む、請求項９に記載の方法。
【請求項１１】
伝送データを送信するための指定チャネルを選択することは、
複数の時分割多重された物理チャネルから１つを前記指定チャネルとして選択することを含む、請求項９に記載の方法。
【請求項１２】
複数の時分割多重された物理チャネルから１つを前記指定チャネルとして選択することは、
前記複数の時分割多重された物理チャネルから、シンボル数が最も多い１つ以上の物理チャネルを前記指定チャネルとして選択すること、
前記複数の時分割多重された物理チャネルから、シンボル数が最も少ない１つ以上の物理チャネルを前記指定チャネルとして選択すること、
基地局の指示情報に基づいて、前記複数の時分割多重された物理チャネルから、１つ以上の物理チャネルを前記指定チャネルとして選択すること、
前記複数の時分割物理チャネルから、開始位置が最も遅い１つ以上の物理チャネルを前記指定チャネルとして選択すること、及び、
ＵＥと基地局との約束ポリシーに基づいて、前記複数の時分割物理チャネルから１つ以上の物理チャネルを前記指定チャネルとして選択すること、のうちの１つを含む、請求項１１に記載の方法。
【請求項１３】
複数の物理チャネルが時間領域でオーバーラップすることを決定した後、
前記複数の物理チャネルのうち、開始位置が最も前の２つの物理チャネルを優先的に処理して、中間物理チャネルを得て、前記中間物理チャネルと次の物理チャネルとを時間領域でオーバーラップする２つの物理チャネルとして処理すること、
前記複数の物理チャネルが時分割多重された物理チャネルを含む場合、前記時分割多重された物理チャネルを処理し、前記時分割多重された物理チャネル以外の他の物理チャネルを廃棄すること、及び、
前記複数の物理チャネルのうち、時間領域でオーバーラップする複数の物理チャネルのうちの時間が最も早い第１番目の物理チャネルと第２番目の物理チャネルとを優先的に処理して１つの物理チャネルを得て、得られた物理チャネルと時間領域でオーバーラップする残りの物理チャネルのうちの時間が最も早い物理チャネルとを順次処理すること、のうちの１つをさらに含み、チャネルの開始位置が整列している場合、開始の周波数領域インデックスが最小の物理チャネル、開始の周波数領域インデックスが最大の物理チャネル、シンボル数が最も多い物理チャネル、及びシンボル数が最も少ない物理チャネルのうちの１つが優先的に選択される、請求項９に記載の方法。
【請求項１４】
複数の物理チャネルが時間領域でオーバーラップすることを決定するように構成されている第１の決定モジュールと、
指定チャネルを選択し、前記複数の物理チャネル中の情報又はデータを搬送させるように構成されている設定モジュールと、を含む、チャネル設定端末。
【請求項１５】
複数の物理チャネルが時間領域でオーバーラップすることを決定するように構成されている決定モジュールと、
伝送データを送信するための指定チャネルを選択するように構成されている選択モジュールと、を含む、チャネル設定端末。
【手続補正３】
【補正対象書類名】明細書
【補正対象項目名】００２６
【補正方法】変更
【補正の内容】
【００２６】
任意選択で、ＵＥが１指定ｓｌｏｔで複数のオーバーラップする物理アップリンク制御チャネルＰＵＣＣＨを伝送する場合、ＵＥが異なるＵＣＩ（アップリンク制御情報）のタイプを１つのＰＵＣＣＨに多重するように構成され、ＵＥがオーバーラップする物理アップリンク共有チャネルＰＵＳＣＨを指定ｓｌｏｔ（スロット）において伝送せず、ＵＥが全ての対応するＵＣＩのタイプを１つのＰＵＣＣＨに多重して、時間領域でオーバーラップする複数の物理チャネルを解決する。
【手続補正４】
【補正対象書類名】明細書
【補正対象項目名】００４６
【補正方法】変更
【補正の内容】
【００４６】
図７は、本開示の実施例に係る２つのＰＵＣＣＨが時間領域でオーバーラップする一例を示す図であり、例えば、図７における２つのＰＵＣＣＨチャネルが時間領域でオーバーラップしている場合、ＰＵＣＣＨ１は、周期的なＣＳＩ（ＣＳＩ情報はＣＳＩ  ｐａｒｔ１及び／又はＣＳＩ  ｐａｔｒ２（それぞれＣＳ１−１、ＣＳＩ−２である）を含む）を搬送し、ＰＵＣＣＨ２は、Ａ/Ｎ（ＨＡＲＱ−ＡＣＫを示す）を搬送し、この２つのチャネルがタイムライン関係の要件を満たせば（即ち、タイムライン終了時間の前に、全ての伝送対象のデータをいずれも準備しておくべきであり、そうでなければ、すぐに伝送対象のデータを送信することができない）、伝送時には、ＰＵＣＣＨ２におけるＡ/Ｎビット情報とＰＵＣＣＨ１におけるＣＳＩビット情報とを連結（ここでは、一応Ａ/ＮとＣＳＩとの連結順序を問わない）してから搬送する。
【手続補正５】
【補正対象書類名】明細書
【補正対象項目名】００４７
【補正方法】変更
【補正の内容】
【００４７】
しかし、上記Ａ/ＮとＣＳＩとを連結した後の総ビット数がＰＵＣＣＨ１の搬送範囲を超えていれば、他の物理チャネルを選択する必要がある（選択するルールが従来技術にあり、ＴＳ３８．２１３を参照）。１つの伝送用のＰＵＣＣＨリソース（ＰＵＣＣＨ３と記す）を新たに選択したとすれば、ＰＵＣＣＨ３の開始シンボルとＰＵＣＣＨ１の開始シンボルは、必ずしも整列していない。ＰＵＣＣＨ３もＵＥのために設定されたあるＰＵＣＣＨリソース又はあるＰＵＣＣＨセット中のあるＰＵＣＣＨリソースである。
【手続補正６】
【補正対象書類名】明細書
【補正対象項目名】００８５
【補正方法】変更
【補正の内容】
【００８５】
例えば、１、図１のｍでは、ＰＵＣＣＨ１がフォーマット３で、Ａ/Ｎ情報を搬送し（ＵＥの複数の伝送ブロックに対応するＡ/Ｎが共に多重されてもよい）、ＰＵＣＣＨ２がフォーマット１で、ＳＲ情報を搬送すれば、ルールに従って、ＰＵＣＣＨ２を廃棄し、ＳＲをＸ個のビット（ＳＲの個数に係る）情報に変換してＰＵＣＣＨ１のＡ/Ｎビットと連結し、次にフォーマット３の他のＰＵＣＣＨリソースを使用して伝送する。
【手続補正７】
【補正対象書類名】明細書
【補正対象項目名】００８６
【補正方法】変更
【補正の内容】
【００８６】
具体的には、どのフォーマット３のリソースを使用するかについては、まず、ＸとＡ/Ｎの総ビット数に応じてＰＵＣＣＨ  ｓｅｔを決定し（各ＰＵＣＣＨ  ｓｅｔ中のＰＵＣＣＨリソースが伝送する総ビット数が異なり、それぞれ１つのビット数範囲に対応するが、一般的には、依然としてＰＵＣＣＨ  ｓｅｔを変更しない確率が大きい。各ＰＵＣＣＨ  ｓｅｔに搬送される総ビット数の範囲が大きく、新たに増加するビットが少ないため、本来ＰＵＣＣＨ  ｓｅｔに搬送される総ビット範囲を超えない確率が大きい）、次に、対応するＰＵＣＣＨ  ｓｅｔから、基地局によって指示されたＰＵＣＣＨリソースを使用して伝送を行う。
【手続補正８】
【補正対象書類名】明細書
【補正対象項目名】００８９
【補正方法】変更
【補正の内容】
【００８９】
例えば、３、図１のｎでは、ＰＵＣＣＨ１がフォーマット３で、ＣＳＩを搬送し、ＰＵＣＣＨ２がフォーマット１で、Ａ/Ｎを搬送すれば、ルールに従って、ＰＵＣＣＨ２を廃棄し、Ａ/Ｎ情報とＰＵＣＣＨ１のＣＳＩビットとを連結し、次にフォーマット３の１つのＰＵＣＣＨリソースを使用して伝送する。具体的には、どのフォーマット３のリソースを使用するかについては、まず、Ａ/ＮとＣＳＩの総ビット数に応じてＰＵＣＣＨ  ｓｅｔを決定し（各ＰＵＣＣＨ  ｓｅｔ中のＰＵＣＣＨリソースが伝送する総ビット数が異なり、それぞれ１つのビット数範囲に対応するが、一般的には、依然としてＰＵＣＣＨ  ｓｅｔを変更しない確率が大きい。各ＰＵＣＣＨ  ｓｅｔに搬送される総ビット数の範囲が大きく、新たに増加するビットが少ないため、本来ＰＵＣＣＨ  ｓｅｔに搬送される総ビット範囲を超えない確率が大きい）、次に、対応するＰＵＣＣＨ  ｓｅｔから、指示されたＰＵＣＣＨを使用して伝送を行う。
【手続補正９】
【補正対象書類名】明細書
【補正対象項目名】０１００
【補正方法】変更
【補正の内容】
【０１００】
１つのＰＵＣＣＨと２つの時分割ＰＵＣＣＨとは１つのｓｌｏｔにおいて時間領域でオーバーラップする典型的な場合は、例えば、周期的チャネル状態情報ＣＳＩ又はスケジューリング要求ＳＲを搬送する、周期的又は半静的に設定された１つのＰＵＣＣＨと、例えば、Ａ/Ｎ情報又は非周期的ＣＳＩを搬送する、２つの動的な時分割ＰＵＣＣＨとが、時間領域でオーバーラップすることである。
【手続補正１０】
【補正対象書類名】明細書
【補正対象項目名】０１１４
【補正方法】変更
【補正の内容】
【０１１４】
ここでは、実施例１、２におけるタイムライン終了時間を使用して確認することができ、例えば、図９に例示されたオーバーラップの場合には、常に時間領域でオーバーラップする全てのチャネルは、いずれも上記タイムライン終了時間を満たすと認める。さらに、ＮＲシステムにおいて、現在、５種のＰＵＣＣＨフォーマット（Ｆ０、Ｆ１、Ｆ２、Ｆ３、Ｆ４と記する）があり、各種のＰＵＣＣＨの定義とデータの伝送方式に差異があるとともに、伝送されるＵＣＩのコンテンツも異なる可能性があるため、本願には可能な限り多くの場合での処理手段が記載されている。１つのＡ/Ｎ  ＰＵＣＣＨと２つの時分割ＳＲ  ＰＵＣＣＨが時間領域でオーバーラップすることに対する処理は表１に示す。表１は、１つのＡ/Ｎ  ＰＵＣＣＨと２つの時分割ＳＲ  ＰＵＣＣＨが時間領域でオーバーラップすることに対する処理である。
【手続補正１１】
【補正対象書類名】明細書
【補正対象項目名】０１１５
【補正方法】変更
【補正の内容】
【０１１５】
【表１】
2021524215.tif 000019
2021524215.tif 000020
【手続補正１２】
【補正対象書類名】明細書
【補正対象項目名】０１１６
【補正方法】変更
【補正の内容】
【０１１６】
１つのＳＲ  ＰＵＣＣＨと２つの時分割Ａ/Ｎ  ＰＵＣＣＨが時間領域でオーバーラップすることに対する処理を表２に示す。表２は、１つのＳＲ  ＰＵＣＣＨと２つの時分割Ａ/Ｎ  ＰＵＣＣＨが時間領域でオーバーラップすることに対する処理である。
【手続補正１３】
【補正対象書類名】明細書
【補正対象項目名】０１１７
【補正方法】変更
【補正の内容】
【０１１７】
【表２】
2021524215.tif 000021
2021524215.tif 000022
【手続補正１４】
【補正対象書類名】明細書
【補正対象項目名】０１１８
【補正方法】変更
【補正の内容】
【０１１８】
１つのＡ/Ｎ  ＰＵＣＣＨと２つの時分割ＰＵＣＣＨ（１つはＳＲで、１つはＡ/Ｎである）が時間領域でオーバーラップすることに対する処理を表３に示す。表３は、１つのＡ/Ｎ  ＰＵＣＣＨと２つの時分割ＰＵＣＣＨとが時間領域でオーバーラップすることに対する処理である。
【手続補正１５】
【補正対象書類名】明細書
【補正対象項目名】０１１９
【補正方法】変更
【補正の内容】
【０１１９】
【表３】
2021524215.tif 000023
【手続補正１６】
【補正対象書類名】明細書
【補正対象項目名】０１２０
【補正方法】変更
【補正の内容】
【０１２０】
１つのＡ/Ｎ  ＰＵＣＣＨと２つの時分割ＰＵＣＣＨ（１つはＳＲで、１つはＡ/Ｎである）とが時間領域でオーバーラップすることに対する処理を表４に示し、表４は、１つのＡ/Ｎ  ＰＵＣＣＨと２つの時分割ＰＵＣＣＨとが時間領域でオーバーラップすることに対する処理である。
【手続補正１７】
【補正対象書類名】図面
【補正対象項目名】図１
【補正方法】変更
【補正の内容】
【図１】
2021524215.tif 000024
【国際調査報告】
2021524215.tif 000025
2021524215.tif 000026
2021524215.tif 000027
2021524215.tif 000028